(57)【特許請求の範囲】
【請求項１】
グラフィックデータの再生を管理するためのデータ構造を有する記録媒体において、
トランスポートストリームの複数のソースパケットをストアしたデータ領域を備え、
前記ソースパケットの各々はエクストラヘッダとトランスポートパケットを含み、前記トランスポートパケットは、メインビデオデータ上にオーバレイされるグラフィックイメージのグラフィックデータを記録する記録セグメントのためのグラフィックセグメントを表わし、前記トランスポートパケットは、前記メインビデオデータと多重化された前記グラフィックセグメントを表わし、前記トランスポートパケットは、同一のパケットＩＤ（ＰＩＤ）を有する前記グラフィックセグメントを表わし、
前記グラフィックセグメントは、前記グラフィックイメージを制御するために使用され、前記グラフィックセグメントは、前記グラフィックイメージのポジション情報と、前記グラフィックイメージのタイムスタンプ（時間情報）と、前記グラフィックイメージのディスプレイエフェクトを制御するための再生情報とを含み、前記ディスプレイエフェクトは、フェードエフェクトおよびワイプエフェクトの少なくとも１つである
ことを特徴とする記録媒体。
【請求項２】
請求項１において、前記グラフィックセグメントは、前記グラフィックイメージを表示するプレゼンテーションタイムと前記グラフィックイメージの表示を持続する時間とを含むことを特徴とする記録媒体。
【請求項３】
請求項１において、前記記録媒体は、前記メインビデオストリームの再生制御のためのナビゲーション情報を含むプレイリストをさらにストアすることを特徴とする記録媒体。
【請求項４】
請求項３において、前記プレイリストは、前記グラフィックイメージをインデクシングし、前記グラフィックイメージのディスプレイ持続時間を指定するグラフィックマークを含むことを特徴とする記録媒体。
【請求項５】
請求項３において、前記プレイリストは、前記グラフィックイメージのディスプレイを開始する時間および終了する時間と、前記メインビデオデータ上のグラフィックイメージのディスプレイポジションおよびウィンドウサイズとを指定するディスプレイ情報を含むことを特徴とする記録媒体。
【請求項６】
請求項１において、前記エクストラヘッダは、コピープロテクション情報と到着時間を含むことを特徴とする記録媒体。
【請求項７】
グラフィックデータの再生を管理するためのデータ構造を記録媒体から再生する方法において、
トランスポートストリームの複数のソースパケットを読み出すステップであって、前記ソースパケットの各々はエクストラヘッダとトランスポートパケットを含み、前記トランスポートパケットは、メインビデオデータ上にオーバレイされるグラフィックイメージのグラフィックデータを記録する記録セグメントのためのグラフィックセグメントを表わし、前記トランスポートパケットは、メインビデオデータを含むメインビデオストリームと多重化された前記グラフィックセグメントを表わし、前記トランスポートパケットは、同一のパケットＩＤを有する前記グラフィックセグメントを表わす、ステップと、
前記ソースパケットを前記エクストラヘッダおよびトランスポートパケットにデパケタイズすることによって、前記トランスポートストリームをデータストリームに変換するステップと、
データストリームをメインビデオストリームおよび前記グラフィックセグメントに多重化するステップであって、前記グラフィックセグメントは前記グラフィックイメージを制御するために使用され、前記グラフィックセグメントは、前記グラフィックイメージのポジション情報と、前記グラフィックイメージのタイムスタンプ(時間情報)と、前記グラフィックイメージのディスプレイエフェクトを制御するための再生情報とを含み、前記ディスプレイエフェクトは、フェードおよびワイプの少なくとも１つである、ステップと、
前記ポジション情報、前記タイムスタンプ（時間情報）および前記グラフィックイメージをフェードおよび／若しくはワイプするような再生情報に従って、前記グラフィックイメージをメインビデオデータ上にディスプレイするステップと
を備えたことを特徴とする方法。
【請求項８】
請求項７において、前記グラフィックセグメントは、前記グラフィックイメージを表示するプレゼンテーションタイムと前記グラフィックイメージの表示を持続する時間とを含むことを特徴とする方法。
【請求項９】
請求項７において、
前記記録媒体から、前記メインビデオストリームの再生制御のためのナビゲーション情報を含むプレイリストを再生するステップと、
前記プレイリストを使用して前記グラフィックセグメントを再生するステップと
をさらに備えることを特徴とする方法。
【請求項１０】
請求項９において、前記プレイリストは、前記グラフィックイメージをインデクシングし、前記グラフィックイメージのディスプレイ持続時間を指定するグラフィックマークを含むことを特徴とする方法。
【請求項１１】
請求項９において、前記プレイリストは、前記グラフィックイメージのディスプレイを開始する時間および終了する時間と、前記メインビデオデータ上のグラフィックイメージのディスプレイポジションおよびウィンドウサイズとを指定するディスプレイ情報を含むことを特徴とする方法。
【請求項１２】
請求項７において、前記エクストラヘッダは、コピープロテクション情報と到着時間を含むことを特徴とする方法。
【請求項１３】
グラフィックデータの再生を管理するためのデータ構造を記録媒体から再生する装置において、
トランスポートストリームの複数のソースパケットを記憶媒体から読み出すように構成される再生装置であって、前記ソースパケットの各々は、エクストラヘッダとトランスポートパケットを含み、前記トランスポートパケットは、メインビデオデータ上にオーバレイされるグラフィックイメージのグラフィックデータを記録する記録セグメントのためのグラフィックセグメントを表わし、前記トランスポートパケットは、メインビデオデータを含むメインビデオストリームと多重化された前記グラフィックセグメントを表わし、前記トランスポートパケットは、同一のパケットＩＤ（ＰＩＤ）を有する前記グラフィックセグメントを表わし、
前記ソースパケットを前記エクストラヘッダおよびトランスポートパケットにデパケタイズすることによって、前記トランスポートストリームをデータストリームに変換するように構成されるソースデパケタイザと、
前記データストリームをメインビデオストリームおよび前記グラフィックセグメントにデマルチプレクシングするように構成されるデマルチプレクサであって、前記グラフィックセグメントは前記グラフィックイメージを制御するために使用され、前記グラフィックセグメントは、前記グラフィックイメージのポジション情報と、前記グラフィックイメージのタイムスタンプ（時間情報）と、前記グラフィックイメージのディスプレイエフェクトを制御するための再生情報とを含み、前記ディスプレイエフェクトは、フェードおよびワイプの少なくとも１つであり、
前記再生装置を制御して前記メインビデオストリームおよび前記グラフィックセグメントを再生し、前記ポジション情報、時間情報および前記グラフィックイメージをフェードおよび／若しくはワイプさせるような再生情報に従って、前記グラフィックイメージを前記メインビデオデータ上にディスプレイするように構成されるコントローラと
備えたことを特徴とする装置。
【請求項１４】
請求項１３において、前記コントローラは、前記グラフィックイメージを表示するプレゼンテーションタイムと前記グラフィックイメージの表示を持続する時間とを含む前記グラフィックセグメントを再生するように制御することを特徴とする装置。
【請求項１５】
請求項１３において、前記コントローラは、プレイリストを使用して前記グラフィックセグメントを再生するように前記再生装置を制御し、前記プレイリストは、前記メインビデオストリームの再生制御のためのナビゲーション情報を含むことを特徴とする装置。
【請求項１６】
請求項１５において、前記プレイリストは、前記グラフィックイメージをインデクシングし、前記グラフィックイメージのディスプレイ持続時間を指定するグラフィックマークを含むことを特徴とする装置。
【請求項１７】
請求項１５において、前記プレイリストは、前記グラフィックイメージのディスプレイを開始する時間および終了する時間と、前記メインビデオデータ上のグラフィックイメージのディスプレイポジションおよびウィンドウサイズとを指定するディスプレイ情報を含むことを特徴とする装置。
【請求項１８】
請求項１３において、前記エクストラヘッダは、コピープロテクション情報と到着時間を含むことを特徴とする装置。
【請求項１９】
グラフィックデータの再生を管理するためのデータ構造を記録媒体に記録する方法において、
トランスポートストリームの複数のソースパケットを前記記録媒体上に記録するステップであって、前記ソースパケットの各々はエクストラヘッダとトランスポートパケットを含み、前記トランスポートパケットは、メインビデオデータ上にオーバレイされるグラフィックイメージのグラフィックデータを記録する記録セグメントのためのグラフィックセグメントを表わし、前記グラフィックセグメントは、メインビデオデータを含むメインビデオストリームと多重化され、前記トランスポートパケットは、前記メインビデオデータと多重化された前記グラフィックセグメントを表わし、前記トランスポートパケットは、同一のパケットＩＤ（ＰＩＤ）を有する前記グラフィックセグメントを表わす、ステップを備え、
前記グラフィックセグメントは前記グラフィックイメージを制御するために使用され、前記グラフィックセグメントは、前記グラフィックイメージのポジション情報と、前記グラフィックイメージのタイムスタンプ(時間情報)と、前記グラフィックイメージのディスプレイエフェクトを制御するための再生情報とを含み、前記ディスプレイエフェクトは、フェードエフェクトおよびワイプエフェクトの少なくとも１つである
ことを特徴とする方法。
【請求項２０】
請求項１９において、前記グラフィックセグメントは、前記グラフィックイメージを表示するプレゼンテーションタイムと前記グラフィックイメージの表示を持続する時間とを含むことを特徴とする方法。
【請求項２１】
請求項１９において、前記メインビデオストリームの再生制御のためのナビゲーション情報を含むプレイリストを前記記録媒体に記録するステップをさらに含むことを特徴とする方法。
【請求項２２】
請求項２１において、前記プレイリストは、前記グラフィックイメージをインデクシングし、前記グラフィックイメージのディスプレイ持続時間を指定するグラフィックマークを含むことを特徴とする方法。
【請求項２３】
請求項２１において、前記プレイリストは、前記グラフィックイメージのディスプレイを開始する時間および終了する時間と、前記メインビデオデータ上のグラフィックイメージのディスプレイポジションおよびウィンドウサイズとを指定するディスプレイ情報を含むことを特徴とする方法。
【請求項２４】
請求項１９において、前記エクストラヘッダは、コピープロテクション情報と到着時間を含むことを特徴とする方法。
【請求項２５】
グラフィックデータの再生を管理するためのデータ構造を記録媒体に記録する装置において、
トランスポートストリームの複数のソースパケットを前記記録媒体に記録するように構成される記録装置であって、前記ソースパケットの各々はエクストラヘッダとトランスポートパケットを含み、前記トランスポートパケットは、メインビデオデータ上にオーバレイされるグラフィックイメージのグラフィックデータを記録する記録セグメントのためのグラフィックセグメントを表わし、前記トランスポートパケットは、前記メインビデオデータと多重化される前記グラフィックセグメントを表わし、前記トランスポートパケットは、同一のパケットＩＤ（ＰＩＤ）を有する前記グラフィックセグメントを表わし、
前記記録装置を制御するように構成されるコントローラとを備え、
前記グラフィックセグメントは前記グラフィックイメージを制御するために使用され、前記グラフィックセグメントは、前記グラフィックイメージのポジション情報と、前記グラフィックイメージのタイムスタンプ(時間情報)と、前記グラフィックイメージのディスプレイエフェクトを制御するための再生情報とを含み、前記ディスプレイエフェクトは、フェードエフェクトおよびワイプエフェクトの少なくとも１つである
ことを特徴とする装置。
【請求項２６】
請求項２５において、前記コントローラは、前記グラフィックイメージを表示するプレゼンテーションタイムと前記グラフィックイメージの表示を持続する時間とを含む前記グラフィックセグメントを記録するように制御することを特徴とする装置。
【請求項２７】
請求項２５において、前記コントローラは、前記メインビデオストリームの再生制御のためのナビゲーション情報を含むプレイリストを前記記録媒体に記録するように前記記録装置を制御することを特徴とする装置。
【請求項２８】
請求項２７において、前記プレイリストは、前記グラフィックイメージをインデクシングし、前記グラフィックイメージのディスプレイ持続時間を指定するグラフィックマークを含むことを特徴とする装置。
【請求項２９】
請求項２７において、前記プレイリストは、前記グラフィックイメージのディスプレイを開始する時間および終了する時間と、前記メインビデオデータ上のグラフィックイメージのディスプレイポジションおよびウィンドウサイズとを指定するディスプレイ情報を含むことを特徴とする装置。
【請求項３０】
請求項２５において、前記エクストラヘッダは、コピープロテクション情報と到着時間を含むことを特徴とする装置。
【発明の詳細な説明】
【技術分野】
【０００１】
本発明は、高密度記録媒体、例えば光ディスク（例えば、Blu-rayディスクＲＯＭ（ＢＤ−ＲＯＭ））のグラフィックデータを管理する方法に関する。
【背景技術】
【０００２】
高容量の高品質デジタルビデオ／オーディオデータを記録可能な光ディスクのような記録媒体、例えばＤＶＤ（Digital Versatile Disc）が市販されている。ＤＶＤのタイプとしては、ＤＶＤ−Videoと、ＤＶＤ−ＶＲ（Video Recording）と、ＤＶＤ−Audioと、ＤＶＤ−ＡＲ（Audio Recording）などがある。
【０００３】
ＤＶＤ−Videoにおいては、ビデオ及びオーディオデータストリームに同期して再生されるグラフィックデータが、ＤＶＤ−privateフォーマットで定義され、このグラフィックデータはサブピクチャ（subpicture）と呼ばれる。
【０００４】
グラフィックデータというサブピクチャは、そのサイズが７２０×４８０ピクセルであるが、２bitカラーデプスのパレット（pallet）を有するから、最大１６カラーをサポートすることができる。そして、このグラフィックデータはビデオ及びオーディオストリームとマルチプレクシングされた後、ＤＶＤに記録される。
【０００５】
このグラフィックデータには、ＤＶＤ−Video標準によるランレングス符号化方式が適用され、サブピクチャデータに関するディスプレイコントロール情報が含まれている。このディスプレイコントロール情報には、ディスプレイタイミングと、カラー切り換え（color change）と、ブレンディング比率変更（blending ratio change）と、ディスプレイポジション（display position）と、サイズ選択（size selection）と、が含まれる。
【０００６】
このグラフィックデータに多彩なグラフィックエフェクトを与えるためのオペレーション、例えば、スクロールアップ／ダウン（scroll-up/down）と、フェード／ワイプイン／アウト（Fade/wipe-in/out）と、カラー変更とを、タイムベースで選択的に実施することができる。このパレット情報に対するナビゲーション（navigation）情報は、タイトル及びプログラムチェーン（program chain）ごとに定義され、このナビゲーション情報には、１６カラー情報と、サブピクチャの個数と、属性情報と、が含まれる。
【０００７】
このサブピクチャの属性情報には、種々のアプリケーションごとに、同様に、コーディングモード情報と言語情報ごとに、キャプション情報と、ディレクタズコメント（director's comments）と、アスペクト比情報と、を含めることができる。
【０００８】
光ディスク再生装置、例えばＤＶＤプレーヤは、サブピクチャユニット（ＳＰＵ）のグラフィックイメージの全部または一部と、メインビデオのイメージとを表示するが、図１に示すように、このナビゲーション情報を用いて、これらのイメージを適正にブレンディングすると、プレゼンテーションタイムベースで、オーバレイ表示される。
【０００９】
図２に図示したが、ＤＶＤ−Videoには、サブピクチャパック（SP_PCKs）が、連続して記録された、オーディオパック（Audio_PCKs）とビデオパック（Video_PCKs）との間に、間欠的に挿入され記録される。オーディオパック（Audio_PCKs）及びビデオパック（Video_PCKs）のサイズは２０４８byteである。
【００１０】
データ再生中において、このサブピクチャパックは、読み出され、１つのサブピクチャユニットとしてグループ化される。このサブピクチャユニットには、サブピクチャユニットヘッダと、ピクセルデータと、ディスプレイコントロール情報と、が含まれている。このサブピクチャユニットヘッダには、当該サブピクチャユニットデータのサイズ情報が含まれている。ピクセルデータには、ランレングス符号化方式でエンコードされた２bitデプスのビットマップデータが含まれる。このピクセルデータのパレット情報は、個別のナビゲーション情報として記録される。
【００１１】
したがって、この光ディスク再生装置は、このピクセルデータをこのビデオ及びオーディオデータと同期して再生する。上述したように、この光ディスク再生装置は、このナビゲーション情報を用いて、サブピクチャユニットのグラフィックイメージの全部または一部をメインビデオのイメージと適正にブレンディングした後、プレゼンテーションタイムベースで、サブピクチャユニットのグラフィックイメージをメインイメージ上にオーバレイ表示する。
【００１２】
一方、最近、ＤＶＤに比べて記録密度の高い高密度光ディスク、例えば再生専用Blu-rayディスク（ＢＤ−ＲＯＭ）に対する標準化作業が進められている。このＢＤ−ＲＯＭのような再生専用高密度光ディスクに記録されたグラフィックデータを效率的に管理する方法はまだ利用可能ではないのが、実情である。
【発明の開示】
【００１３】
したがって、本発明は前記のような実情を勘案して創作されたものであって、本発明による記録媒体にはグラフィックデータの再生を管理するためのデータ構造が含まれる。
【００１４】
本発明の一実施形態で、前記記録媒体のデータ領域には１つ又は複数のグラフィックセグメントが含まれるが、各グラフィックセグメントには他のデータと多重化されたグラフィックデータが含まれる。例えば、前記他のデータには動映像データが含まれる。各グラフィックセグメントには複数のトランスポートパケットが含まれる。
【００１５】
本発明の一実施形態で、１つのグラフィックセグメントにある各トランスポートパケットは同一なパケットＩＤを有する。
【００１６】
本発明の他の実施形態で、グラフィックセグメントにある少なくとも１つ以上のトランスポートパケットにはトランスポートパケットがグラフィックパケットの一部であることを示す識別子が含まれる。
【００１７】
本発明の他の実施形態で、前記グラフィックセグメントにある少なくとも１つ以上のトランスポートパケットにはタイムスタンプが含まれる。
【００１８】
本発明のまた他の実施形態で、グラフィックセグメントにある少なくとも１つ以上のトランスポートパケットにはグラフィックイメージの再生を管理するためのグラフィック情報が含まれる。
【００１９】
また、本発明によるデータ構造を記録して再生するための装置と方法が提示される。
【発明を実施するための最良の形態】
【００２０】
以下、本発明の望ましい実施形態を図面を参照して詳細に説明する。
【００２１】
図３は本発明に係る高密度光ディスクのグラフィックデータを管理する方法の実施形態をグラフィカルに表現したものである。１つのメインピクチャイメージには、対応するグラフィックイメージが１つ又は複数あるが、各グラフィックイメージはサイズとカラーデプス（Color Depth）が異なる。
【００２２】
図３に示したように、１９２０×１０８０ピクセルサイズのメインピクチャは、３つの関連付けをしたグラフィックイメージ、すなわち、１９２０×１０８０ピクセルサイズのグラフィックイメージと、１２８０×１０８０ピクセルサイズのグラフィックイメージと、６４０×１０８０ピクセルサイズのグラフィックイメージと、を有する。
【００２３】
これら３個のグラフィックイメージはカラーデプスが異なる。１９２０×１０８０ピクセルサイズのグラフィックイメージはカラーデプスが８bitであり、１２８０×１０８０ピクセルサイズのグラフィックイメージは、カラーデプスが８bit又は１６bitであり、６４０×１０８０ピクセルサイズのグラフィックイメージは、カラーデプスが８bit、１６bit、又は２４bitである。
【００２４】
図４に示したように、複数の異なるグラフィックイメージ、すなわち、グラフィックイメージ１、２、及び３を、１つのメインピクチャイメージに同時にオーバレイすることができ、これらグラフィックイメージのサイズ及びカラーデプスを異ならせることができる。これらグラフィックイメージは個々に管理することができ、あるいは１つのグループとして管理することができる。
【００２５】
そこで、オーバレイされたグラフィックイメージと、これらグラフィックイメージに対するナビゲーション情報とは、メインビデオ及びオーディオストリームとマルチプレクシングされる。これについては後述する。
【００２６】
図５ないし図８は、グラフィックイメージとナビゲーション情報を、ＢＤ−ＲＯＭのような高密度記録媒体のメインストリームに記録する方法の例を示す。図５に示したように、ＢＤ−ＲＯＭのデータ領域に記録されたオーディオ及びビデオメインストリームには、複数のグラフィックイメージが所定の記録セグメント（例えば、Ａ、Ｂ、またはＣ）に記録される。これら複数のグラフィックイメージはこれら所定の記録セグメントにマルチプレクシングされている。
【００２７】
所定の記録セグメント（例えばＡセグメント）に記録されたグラフィックイメージは、Ａセグメント以後に記録されるメインストリームがオーバレイされるグラフィックイメージである。１つのグラフィックイメージは、複数の１９２byteソースパケットとして記録される。これら複数の１９２byteソースパケットは、それぞれ、４byteのＴＰエクストラヘッダと、１８８byteのＭＰＥＧ２のＴＰと、により構成される。この所定の記録セグメントにおいては、複数のグラフィックイメージのみが記録されるか、あるいは、複数のグラフィックイメージがメインストリームとマルチプレクシングされて記録される。
【００２８】
４byteのＴＰパケットエクストラヘッダには、２bitのコピープロテクション情報と、３０bitの関連付けされたグラフィックイメージと、に対するナビゲーション情報（例えば、次に説明するgraphic_start_end_flag）か、又は３０bitのパケット到着タイムスタンプを、含めることができる。
【００２９】
詳細に説明すると、仮にこのソースパケットがグラフィックイメージに関連付けされている場合には、そのＴＰエクストラヘッダには、コピープロテクション情報と、グラフィック情報（例えば、次に説明するgraphic_start_end_flag）と、が含まれる。仮にこのソースパケットがグラフィックイメージに関連付けされていない場合には、そのトランスポートエクストラヘッダには、コピープロテクション情報と、パケット到着時間を示す時間情報と、が含まれる。
【００３０】
ＭＰＥＧ２  ＴＰのヘッダには、パケットＩＤ（ＰＩＤ）が含まれる。このパケットＩＤには、一意の値、例えば、パケットがグラフィックパケットである場合には、ＰＩＤ＝０ｘ１０２３が与えられる。
【００３１】
グラフィックイメージが所定の記録セグメントにＭＰＥＧ２  ＴＰで記録されるので、このグラフィックイメージの記録フォーマットは、ムービデータ、例えば、ＢＤ−ＲＥのムービデータとコンパチブル（compatible）である。グラフィックイメージとメインストリームとがこの所定の記録セグメントにマルチプレクシングされて記録される場合には、このメインストリームは、ＭＰＥＧ２ムービデータ、オーディオデータ、又はスチルイメージのうちのいずれかである。
【００３２】
図６に示したように、この所定の記録セグメントのスタート部には、記録セグメントに記録されたグラフィックイメージの再生を管理するためのグラフィック情報のソースパケットが、記録される。光ディスク再生装置においては、グラフィック情報を参照にして、グラフィックイメージの個数とデータサイズなどをチェックし、グラフィックイメージの再生を行う。
【００３３】
この所定の記録セグメントに記録されたグラフィックイメージは、グラフィック情報のソースパケットにより識別することができる。この場合、図７に示したように、このソースパケットのペイロードに含まれるグラフィック情報には、graphic_start_end_flagフィールドと、number_of_imagesフィールドと、各グラフィックイメージの属性及び特性（例えば、グラフィックイメージをディスプレイするポジションと、グラフィックイメージをディスプレイするプレゼンテーションタイムと、グラフィックイメージをディスプレイする持続期間等）を示すimage_infoフィールドと、各グラフィックイメージのデータサイズを示すimage_data_size又はスタートポジション情報フィールドと、を含めることができる。
【００３４】
例えば、graphic_start_end_flagフィールドが０である場合には、グラフィックデータのスタートを示し、１である場合には、グラフィックデータのエンドを示す。このように定義されたグラフィック情報のフィールドの中には、１つのグラフィックイメージか、又は全てのグラフィックイメージについての情報として、使用することができるものがある。
【００３５】
図８の例においては、この所定の記録セグメントに記録されたグラフィックイメージをＴＰエクストラヘッダにより識別することができる。この場合、各グラフィックイメージのスタート部に記録されたソースパケットのＴＰエクストラヘッダには、２bitのコピープロテクション情報と、３０bitのグラフィック情報とが含まれている。このグラフィック情報は図７に図示したグラフィック情報と同様に定義することもできる。
【００３６】
他のソースパケットのＴＰエクストラヘッダには、２bitのコピープロテクション情報と、３０bitの他の情報、例えばパケット到着時間を示す時間情報と、が含まれる。
【００３７】
仮に、高密度記録媒体、例えば、グラフィックイメージとグラフィック情報とが、後述する方法により記録されるＢＤ−ＲＯＭが、光ディスク再生装置に装填された場合には、この光ディスク再生装置においては、図９に示すように、所定の記録セグメントに記録されたグラフィックデータが、全て、グラフィックイメージバッファにロードされるプレローディング（preloading）が行われる。
【００３８】
この光ディスク再生装置においては、この所定の記録セグメント以後に記録されたメインストリーム（例えば、ムービビデオ、オーディオ、又はスチルイメージ）が再生されると、図７及び図８に関連して説明したグラフィック情報を用いて、このグラフィックイメージバッファのグラフィックイメージが、このメインストリームと共に、順次に再生される。
【００３９】
図１０に示すように、複数のグラフィックイメージがムービと共に再生された場合には、これら複数のグラフィックイメージがムービビデオにオーバレイ表示されるが、この場合、これら複数のグラフィックイメージをこのムービビデオに同時又は連続してオーバレイすることができ、これら複数のグラフィックイメージを、ムービビデオの互いに異なるポジションに表示することができる。
【００４０】
図１１に示したように、これら複数のグラフィックイメージが、オーディオオンリークリップとともに再生された場合には、１つ又は複数のグラフィックイメージが、スクリーンの特定ポジションに表示されるが、この場合、これら複数のグラフィックイメージを同時にプレゼンテーションすることができ、あるいは、これら複数のグラフィックイメージを、アニメーションのように連続してプレゼンテーションすることができ、これら複数のグラフィックイメージは、それぞれ異なるポジションに表示することができる。
【００４１】
図１２に示したように、これら複数のグラフィックイメージが複数のスチルイメージと共に再生されると、これら複数のグラフィックイメージはこれら複数のスチルイメージにオーバレイされるが、これら複数のグラフィックイメージが１つのスチルイメージに同時又は連続してオーバレイすることができ、これら複数のグラフィックイメージを、互いに異なるポジションに表示することができる。
【００４２】
図１３に示したように、これら複数のグラフィックイメージは、オーディオ及び複数のスチルイメージと共にプレゼンテーションすることもできるが、これら複数のグラフィックイメージは、これら複数のスチルイメージの特定ポジションにオーバレイされる。これら複数のグラフィックイメージは、これら複数のスチルイメージに同時又は連続してオーバレイすることができ、これら複数のグラフィックイメージを、これら複数のスチルイメージの異なるポジションに表示することができる。
【００４３】
図１４に図示したように、これら複数のグラフィックイメージを再生するためにナビゲーション情報を記録及び管理する方法の実施形態においては、１つ又は複数のグラフィックイメージのナビゲーション情報が、ムービまたはオーディオオンリークリップＡ／Ｖストリームを再生制御するため、グラフィックマーク（graphic mark）またはプレイリストグラフィックインジケータ（playlist graphic indicator）として、プレイリストにストアされる。
【００４４】
このナビゲーション情報がグラフィックマークとしてストアされたとき、図１５に示すように、グラフィックマークの各フィールドの意味を拡張することにより、例えばＢＤ−ＲＥ標準のマークシンタックスをこのグラフィックマークに代えて使用することができる。そこで、次に、ＢＤ−ＲＥ標準との差のみを説明する。このグラフィックマークのmark_typeフィールドには、ＢＤ−ＲＥ標準に定義されない一意の値、例えば、mark_type＝０ｘ１３が与えられる。
【００４５】
このグラフィックマークには、最初のグラフィックイメージをインデックシングするか、又は最初のグラフィックイメージグループをインデックシングするためのref_to_graphic_start_indexフィールドと、これら複数のグラフィックイメージの全部を要求するディスプレイ時間を指定するための持続時間情報と、ディスプレイされるグラフィックイメージの個数を示すnumber_of_graphic_imagesフィールドと、が含まれる。
【００４６】
各グラフィックイメージごとに、このグラフィックマークには、各グラフィックイメージを個々にインデクシングするためのref_to_graphic_image_indexフィールドと、各グラフィックイメージのディスプレイスタートタイム及び持続時間を指定するためのdisplay_timing_infoフィールドと、各グラフィックイメージのディスプレイポジション及び表示ウインドウのサイズなどをメインイメージで指定するためのdisplay_infoフィールドと、フェード／ワイプイン／アウト（Fade/Wipe In/Out）のような種々のエフェクトを、各グラフィックイメージに提供するためのdiplay_effectフィールドと、がさらに含まれる。
【００４７】
このナビゲーション情報がプレイリストグラフィックインジケータとしてストアされると、図１６に示したように、ＢＤ−ＲＥに定義されていないプレイリストグラフィックインジケータが、新しく定義され、このプレイリストグラフィックインジケータには、ＢＤ−ＲＥで使用されていない一意のバージョン番号が割り当てられる。
【００４８】
このプレイリストグラフィックインジケータには、プレイリストスチルインジケータ情報フィールドの長さを示すレングスインジケータと、グラフィックディスプレイポジションの個数を示すnumber_of_Graphic_Display_positionsフィールドと、が含まれる。各グラフィックディスプレイポジションごとに、このプレイリストグラフィックインジケータには、graphic_display_start_time_stampフィールドと、持続時間情報と、がさらに含まれる。
【００４９】
このプレイリストグラフィックインジケータには、ディスプレイされるグラフィックイメージの個数を示すnumber_of_graphic_imagesフィールドがさらに含まれる。各イメージごとに、次のような追加のフィールド、すなわち、各グラフィックイメージをインデクシングするためのref_to_graphic_image_indexフィールドと、各グラフィックイメージのディスプレイスタートタイム及び持続時間を指定するためのdisplay_timing_infoフィールドと、各グラフィックイメージのディスプレイポジション及び表示ウインドウのサイズをメインイメージで指定するためのdisplay_infoフィールドと、フェード／ワイプイン／アウト（Fade/Wipe In/Out）のような種々のグラフィックエフェクトを提供するためのdisplay_effectフィールドと、が用意される。
【００５０】
図１７に示した他の実施形態においては、１つ又は複数のグラフィックイメージに対するナビゲーション情報が、ムービまたはオーディオオンリークリップＡ／Ｖストリームの再生を制御するためのプレイリストに、サブプレイアイテム（sub-play items）としてストアされる。複数のグラフィックイメージに対するサブプレイアイテムのシンタックスは、ＢＤ−ＲＥにダビングされたオーディオを管理するために定義された一般的なサブプレイアイテムのシンタックスから拡張される。
【００５１】
図１８に示すように、複数のグラフィックイメージに対するサブプレイアイテムのシンタックスは、一般的なサブプレイアイテムのシンタックスと一致するが、フィールドの中には、グラフィックコントロール情報を含むようにフィールドが拡張されるものもある。そこで、次に、一般的なサブプレイアイテムとの差のみを説明する。このサブプレイアイテムのレングス（length）フィールドには、ＢＤ−ＲＥ標準のバージョン１．０で定義される２６byte以上の一意の値が与えられる。
【００５２】
このサブプレイアイテムには、当該サブプレイアイテムがグラフィックイメージと関連付けされていることを示すためのClip_codex_identifierフィールドと、この関連付けされたグラフィックイメージをディスプレイするためのパス（path）を指定するためのSubPlayItem_typeフィールドと、が含まれる。例えば、Clip_codec_identifierフィールドは、「ＧＲＡＦ」という値を有し、このSubplayItem_typeフィールドは、４という値を有することができる。
【００５３】
このサブプレイアイテムには、開始グラフィックイメージのディスプレイタイムを示すためのSubPlayItem_IN_timeフィールドと、複数のグラフィックイメージの全部のディスプレイ持続時間または終了タイムを示すためのSubPlayItem_OUT_timeフィールドと、が含まれる。このサブプレイアイテムには、各グラフィックイメージをインデクシングするためのref_to_graphic_image_indexフィールドと、各グラフィックイメージのディスプレイスタートタイム及び持続時間を指定するためのdisplay_timing_infoフィールドと、各グラフィックイメージのディスプレイポジション及び表示ウインドウのサイズをメインイメージで指定するためのdisplay_infoフィールドと、各グラフィックイメージに対するフェード／ワイプイン／アウト（Fade/Wipe In/Out）のような種々のグラフィックエフェクトを提供するためのdisplay_effectフィールドと、がさらに含まれる。
【００５４】
複数のグラフィックイメージを複数のスチルイメージとともに再生するためにナビゲーション情報を記録し管理する方法の他の実施形態において、このナビゲーション情報は、図１９に示すように、スチルイメージ情報としてストアされる。Still_Image_Infoフィールドには、Graphic_Display_Infoフィールドが含まれる。このスチルイメージ情報を、プレイリストファイルにストアするか、あるいは、個別のファイルにストアすることができる。例えば、図１６の再生リストグラフィックインジケータは、このスチルイメージ情報フィールドにおいて、グラフィックディスプレイ情報として新しく定義することができる。
【００５５】
このGraphic_Display_Infoフィールドには、グラフィックディスプレイ情報フィールドの長さを示すレングス（length）インジケータと、ディスプレイされるグラフィックイメージの個数を示すためのnumber_of_graphic_imagesフィールドと、が含まれる。図１８に関連して説明したように、各グラフィックイメージごとに、次のようなフィールド、すなわち、各グラフィックイメージをインデクシングするためのref_to_graphic_image_indexフィールドと、各グラフィックイメージのディスプレイスタートタイム及び持続時間を指定するためのdisplay_timing_infoフィールドと、各グラフィックイメージのディスプレイポジション及び表示ウインドウのサイズをメインイメージで指定するためのdisplay_infoフィールドと、フェード／ワイプイン／アウト（Fade/Wipe In/Out）のような種々のグラフィックエフェクトを提供するためのdisplay_effectフィールドと、）のような付加フィールドと、が含まれる。
【００５６】
複数のグラフィックイメージをスクリーン上にボタンとして再生するためにナビゲーション情報を記録し管理する方法の実施の形態において、このナビゲーション情報は、図２０に示したように、メニュー情報（Menu_Info）に、ボタン情報（Button_Info）としてストアされる。このメニュー情報を、プレイリストファイルにストアするか、又は、個々にファイルにストアすることができる。
【００５７】
このボタン情報は、各ボタンに対して提供されるが、このボタン情報は、ボタンで表示されるグラフィックイメージを再生するためのナビゲーション情報である。各ボタン情報フィールドには、図１８に関連して説明したように、ボタン情報フィールドの長さを示すレングスフィールドと、各グラフィックイメージをインデクシングするためのref_to_graphic_image_indexフィールドと、各グラフィックイメージのディスプレイスタートタイム及び持続時間を指定するためのdisplay_timing_info情報と、各グラフィックイメージのディスプレイポジション及び表示ウインドウのサイズなどをメインイメージで指定するためのdisplay_infoフィールドと、フェード／ワイプイン／アウト（Fade/Wipe In/Out）のような種々のグラフィックエフェクトを提供するためのdisplay_effectフィールドと、が含まれる。
【００５８】
図２１は、本発明に係る光ディスク記録・再生装置の構成を示す。Ａ／Ｖエンコーダ９は、データ（例えば、ムービビデオとオーディオデータ、オーディオオンリーデータ、及び／又は、スチルイメージデータ）を受信し、符号化し、符号化情報とストリーム属性情報と共に、マルチプレクサ８に出力する。マルチプレクサ８においては、例えば、ＭＰＥＧ−２トランスポートストリームを作成するため、この符号化する情報と、ストリーム属性情報とに基づき、この符号化されたデータをマルチプレクシングする。ソースパケタイザ７は、光ディスクのオーディオビデオフォーマットに従って、マルチプレクサ８からのトランスポートパケットからソースパケットを作成する。図２１に示したように、Ａ／Ｖエンコーダ９と、マルチプレクサ８と、このソースパケタイザ７は、コントローラ１０により制御される。コントローラ１０は、記録時に、ユーザ入力を受信し、制御情報を、Ａ／Ｖエンコーダ９と、マルチプレクサ８と、ソースパケタイザ７と、に供給する。例えば、コントローラ１０は、行われる符号化タイプをＡ／Ｖエンコーダ９に指示し、作成されるトランスポートストリームをマルチプレクサ８に指示し、ソースパケットのフォーマットをソースパケタイザ７に指示する。コントローラ１０は、ソースパケタイザ７の出力を光ディスクに記録するようにドライブ３を制御する。
【００５９】
コントローラ１０は、光ディスクに記録されているデータの再生を管理するための、ナビゲーション情報と管理情報とを作成する。例えば、ユーザとのインタフェース（例えば、ディスクにストアされるか、コンピュータシステムによりイントラネットまたはインタネットを介して供給される命令セット）を介して受信された情報に基づき、コントローラ１０は、図５のデータ構造を光ディスクに記録するようにドライブ３を制御する。
【００６０】
再生時において、コントローラ１０は、データ構造を再生するようにドライブ３を制御する。すなわち、ディスクに含まれた情報とユーザインタフェース（記録・再生装置の操作ボタン、又は記録・再生装置に関連付けされたリモートコントローラ）を介して、受信されたユーザ入力に基づき、コントローラ１０は当該光ディスクからデータを再生するようにドライブ３を制御する。例えば、本発明の実施形態に関連して説明したように、スチル情報ファイルに入れて提供されたナビゲーション情報に基づき、１つ又は複数のスチルイメージを再生することができる。
【００６１】
この再生されたソースパケットは、ソースデパケタイザ４により受信され、データストリーム（例えば、ＭＰＥＧ−２伝送パケットストリーム）に変換される。デマルチプレクサ５は、このデータストリームを、符号化データにデマルチプレクシングする。Ａ／Ｖデコーダ６は、得られた符号化データを復号して、元のデータを復元する。再生時において、ソースデパケタイザ４と、デマルチプレクサ５と、Ａ／Ｖデコーダ６とは、コントローラ１０により制御される。コントローラ１０は、ユーザから再生に関する入力を受信すると、制御情報を、ソースデパケタイザ４と、デマルチプレクサ５と、Ａ／Ｖデコーダ６と、に供給する。例えば、コントローラ１０は、ソースパケットのフォーマットをソースデパケタイザ４に指示し、デマルチプレクシングする伝送ストリームをマルチプレクサ５に指示し、実行される符号化タイプをＡ／Ｖデコーダ６に指示する。
【００６２】
以上、記録・再生装置に関して図２１を説明したが、記録機能又は再生機能を有する図２１の構成要素を使用することにより、記録専用装置または再生専用装置を提供することができる、ことは当然のことである。
【００６３】
本発明に係る高密度光ディスクのグラフィックデータを管理するためのデータ構造を有する記録媒体と、本発明に係る高密度光ディスクのグラフィックデータを管理する方法及び装置と、により、１つ又は複数のグラフィックイメージを、ムービビデオまたはスチルイメージに、同時又は連続してオーバレイすることができ、かつ、１つ又は複数のグラフィックイメージをオーディオと共にプレゼンテーションすることができ、種々のグラフィックイメージ、例えば、関連する機能を選択するためのボタンを表示することができる。
【００６４】
以上、本発明の望ましい実施形態を開示したが、これらを種々に修正し変更できることは当業者にとって当然のことである。例えば、幾つかの例において、ＢＤ−ＲＯＭに関連して説明したが、本発明は、ＢＤ−ＲＯＭ標準に限定されるものではなく、またＢＤ−ＲＯＭに限定されるものではない。当然、このような種々の修正及び変更は、本発明の精神又は範囲を逸脱しない限り可能である。
【図面の簡単な説明】
【００６５】
【図１】ＤＶＤ−Video標準によってメインビデオとグラフィックイメージをオーバレイしてグラフィカルに表現した図である。
【図２】ＤＶＤ−Video標準におけるグラフィックデータの構造を示す図である。
【図３】本発明によって、サイズとカラーデプスの異なる複数のグラフィックイメージと、メインピクチャとをオーバレイすることをグラフィカルに表現した図である。
【図４】メインデータに、サイズとカラーデプスの異なる複数のグラフィックイメージをオーバレイすることをグラフィカルに表現した図である。
【図５】本発明によって、グラフィックイメージとナビゲーション情報とを高密度記録媒体のメインストリームに記録する方法の実施形態を示す図である。
【図６】本発明によって、グラフィックイメージとナビゲーション情報とを高密度記録媒体のメインストリームに記録する方法の実施形態を示す図である。
【図７】本発明によって、グラフィックイメージとナビゲーション情報とを高密度記録媒体のメインストリームに記録する方法の実施形態を示す図である。
【図８】本発明によって、グラフィックイメージとナビゲーション情報とを高密度記録媒体のメインストリームに記録する方法の実施形態を示す図である。
【図９】セグメントに記録されたグラフィックデータをグラフィックイメージバッファにロードするプレローディングを示す図である。
【図１０】本発明に係るグラフィック情報の実施形態を示す図である。
【図１１】本発明に係るグラフィック情報の実施形態を示す図である。
【図１２】本発明に係るグラフィック情報の実施形態を示す図である。
【図１３】本発明に係るグラフィック情報の実施形態を示す図である。
【図１４】本発明に係るナビゲーション情報の実施形態を示す図である。
【図１５】本発明に係るナビゲーション情報の実施形態を示す図である。
【図１６】本発明に係るナビゲーション情報の実施形態を示す図である。
【図１７】本発明に係るナビゲーション情報の実施形態を示す図である。
【図１８】本発明に係るナビゲーション情報の実施形態を示す図である。
【図１９】本発明に係るナビゲーション情報の実施形態を示す図である。
【図２０】本発明に係るナビゲーション情報の実施形態を示す図である。
【図２１】本発明の実施の形態に係る光ディスク記録・再生装置の構成を示すブロック図である。
【図１】
0004477501.tif 000002
【図２】
0004477501.tif 000003
【図３】
0004477501.tif 000004
【図４】
0004477501.tif 000005
【図５】
0004477501.tif 000006
【図６】
0004477501.tif 000007
【図７】
0004477501.tif 000008
【図８】
0004477501.tif 000009
【図９】
0004477501.tif 000010
【図１０】
0004477501.tif 000011
【図１１】
0004477501.tif 000012
【図１２】
0004477501.tif 000013
【図１３】
0004477501.tif 000014
【図１４】
0004477501.tif 000015
【図１５】
0004477501.tif 000016
【図１６】
0004477501.tif 000017
【図１７】
0004477501.tif 000018
【図１８】
0004477501.tif 000019
【図１９】
0004477501.tif 000020
【図２０】
0004477501.tif 000021
【図２１】
0004477501.tif 000022